(57)【要約】【課題】  従来、アーク溶接時に発生する有害光や飛散物から眼、顔面を守る為の遮光面があり、片手で顔面にあてがう物は、その為に作業に片手が使えない嫌いがあり、頭部に被るものは視界が狭く煩わしい。又、気温の高い環境で面を被っての作業は辛いものである。  他に溶接ホルダーに遮光板等を取り付けた物は大きくて嵩張る。又、作業姿勢に無理がある。【解決手段】  ホルダーで掴んだ溶接棒に沿いてホルダーから繰り出したスライド軸先端に耐熱遮光フィルターを設け、溶接地点に近接させてフィルターを透して溶接状態を確認する。  放射状に広がるアーク光は小さな遮光フィルターの後方に大きな本影、半影を作り、その影内に顔面が収まるようにする事で有害なアークの直接光及び飛散物から顔面を保護することが出来、繰り上げや繰り下げが簡単に出来る遮光フィルターは軽く嵩張らず、視界良好である。【選択図】図１
2008221332.tif 000002
【特許請求の範囲】
【請求項１】
溶接棒を使うアーク溶接時に、既成のホルダーに取り付けた可動式の軸の片方に取り付けた耐熱性の紫外線不透過フィルターを溶接棒に沿いてスライドさせて、溶接棒先端に近接させ、溶接時に於いて放射状に発生するアーク光は近接させた小さなフィルターの後方に大きな本影及び半影を作り、その影内に顔面を収め、フィルターを透して溶接箇所見るために眼炎を防げると共に顔面への直射も大幅に軽減することができ、紫外線不透過フィルターの暗部で減光されたアーク溶接部の状態確認が出来る為、煩わしい防具を身に付ける必要が無い、視界良好のスライド式アーク溶接保護具。
【発明の詳細な説明】
【技術分野】
【０００１】  本発明は、溶接棒を使ったアーク溶接時のアーク光及び飛散物から眼、及び顔面を保護する為のものである。
【背景技術】
【０００２】アーク溶接の段階として、視認しながら溶接棒先端を溶接箇所に接触させ、アークが発生したら、遮光板を組み込んだ遮光面を片手で顔にあてがい、遮光板を透かして減光したアーク溶接部を視認することにより、有害なアーク光から顔面を守ることができる。【０００３】又、遮光面を頭部に装着してアーク発生時に可動式の遮光部を片手で繰り下げ、アーク停止時は同じく手で繰り上げる物があって、遮光部の上げ下げの時以外は片手が自由である。【０００４】遮光部の上げ下げに片手を使う手間を省く為に自動遮光面がある。例として（商品名  ラピットグラス  ＩＳ−ＲＧ）等があり、視認の為の紫外線不透過液晶フィルターがアーク光の発生と瞬時に遮光フィルターになり、強烈なアーク閃光を減光し、眼を守ると共に、顔面を覆うマスクで紫外線等から顔面を守る事が出来る。【０００５】名称、溶接ホルダー（特開平７−６８３８１）は保護プレートをホルダーに取り付けたもので、溶接棒ホルダーと、顔面等を溶接光から保護する保護面とを片手で持てる。【０００６】名称、有害光線遮蔽性透過板付溶接ホルダー（実開昭５７−４４６８２）は有害光線遮蔽性透過板をホルダーに取り付けたもので、有害光線遮蔽性透過板はホルダーに沿って平行に前後移動、及び旋回できるようにしたものである。
【発明の開示】
【発明が解決しようとする課題】
【０００７】前記、自動遮光面は顔面を保護することでは極めて有効であるが、通常でも面を被る事は煩わしいが、気温の高い環境での作業は辛いものである。又、視界が狭いという課題もある。【０００８】前記、溶接ホルダー（特開平７−６８３８１）で作業すると、アーク溶接点と保護プレートの延長線上に顔がなければならない。  真正面で、体の前面に対して直角に溶接棒を使用することになり、作業姿勢に無理がある。【０００９】名称、有害光線遮蔽性透過板付溶接ホルダー（実開昭５７−４４６８２）の１図の状態で透過版が縦向きになっている。人の目が横に並んでいることを考えると不合理である。透過板を９０度旋回させて横向きにするとホルダーが影になり溶接棒が見えなくなるのでホルダーを傾けて透過板を透して見える位置で溶接することになるが、その場合ホルダーに対して平行に取り付けられた透過板は斜めに傾いた状態でアーク光を見ることになる。依って有害光線遮蔽面積は減少する。又、有害光線遮蔽性透過板付溶接ホルダー（実開昭５７−４４６８２）の有害光線遮蔽効果は顔面を保護するには面積が足りず、まして溶接作業中のホルダーが動くことで透過板も振れ動く、その状態で面積の小さい透過板で目を保護することは難しい。
【課題を解決する為の手段】
【００１０】  本発明は、溶接ホルダーを基点に四角形で棒状のスライド軸を溶接棒に沿って配し、先端に取り付けた円盤状の保護フィルターをアーク溶接位置にスライド、近接させたものである。
【００１１】耐熱性で、有害光遮蔽の保護フィルターは外周の淡い暗部と中心部に濃い暗部を設ける。
【発明の効果】
【００１２】保護フィルターをアーク溶接位置に近接させる為、放射状に発するアーク光はフィルター後方に本影、及び半影の大きな影を作り、その影内に顔面が収まるようにすることで有害なアークの直接光、飛散物から顔面、眼を守ることが出来る。
【００１３】アーク溶接位置に近接させる保護フィルターは少面積で効果がある為に軽量で嵩張らない。
【００１４】保護フィルターの外周の淡い暗部を透して溶接部分を確認、アーク光が発生したら溶接棒の傾きを少し変え、もしくは顔の位置をずらして、保護フィルターの内円の濃い暗部で閃光を抑えて溶接状態及び周囲の確認でき、点溶接から一気に最後まで中断せずに溶接することができる。
【００１５】又、スライド軸の繰り上げ、繰り下げが簡単にでき、溶接棒のアークによる消耗に応じて保護フィルターを繰り上げて間隔を保つことが出来る。
【００１６】ホルダーで溶接棒を掴む角度は幾つかあり、溶接棒に沿う形のスライド軸を回転させて溶接棒に平行に合わせることができ、（図２の前方向は構造上スライド出来ない）右利き左利きにも対応できる。
【発明を実施するための最良の形態】
【００１７】本発明の実施の形態を図に基づいて説明する。【００１８】図１は溶接ホルダーに、取り付け金具１ａによるスライド式保護フィルターの取り付け状態を示したものである。【００１９】図２は、スライド式保護フィルター一式をホルダーに取り付けた平面図である。【００２０】図３は、図２を正面から見た図である。【００２１】図４は、図３の主要断面図で、  取り付け金具１ａを溶接ホルダー４の前方から形に合わせてスライド装着する。【００２２】図５は、図２の左側面図でスライド軸２ａを外した状態である。【００２３】図６は、図５の主要断面図で、取り付け金具１ａを溶接ホルダーの前方から形に合わせてスライド装着後、六角穴付ボルト１ｉをレンチで締めて基体１ｂを溶接ホルダー４に固定する。【００２４】図７はスライド軸２ａとストッパー１ｄを示すものである。【００２５】図８は、図７のＡ−Ａ′断面図である。【００２６】図９は、取り付け金具１ａを基体１ｂに下方から留めネジ１ａａでの取り付けを示した図である。【００２７】図１０は、基体１ｂの断面図で同心円の二つの径の異なる穴が空いている。【００２８】図１１は、ストッパー１ｄで、Ｌ字に曲げた丸棒に円盤状のバネ受け皿１ｄａを取り付けたものである。【００２９】図１２は外管１ｈで円筒形の両端にスライド軸２ａが楽に通る穴１ｈａが空いている。【００３０】図１３は、回転軸１ｃの断面図で、円盤状の低板部と同心円の二つの径の異なる穴が空いている筒部からなり、両端にスライド軸が楽に通る穴１ｃａが空いていて、上部に外ネジが切ってある。【００３１】図１４は、ネジ蓋１ｆである。【００３２】図１５は、バネ１ｇで、ストッパー１ｄを押し下げるためのものである。【００３３】図１６は内管１ｅで、ストッパー１ｄの遊動幅を制限するものである。【００３４】図３及び図４で使用方法を説明する。  ホルダーで掴んだ溶接棒５の方向にスライド軸２ａを合わせ、回転軸１ｃ上部のネジにネジ蓋１ｆを締めこんで、外管を圧迫することで方向を固定する。  その場合外管１ｈと、スライド軸２ａの間に隙間が在る為にスライド軸の動きを妨げることは無い。【００３５】スライド軸２ａの先端の耐熱保護フィルター３ａを溶接棒先端にスライド近接させ、耐熱保護フィルター３ａを透して溶接状態を確認しながら作業する。  溶接棒の消耗に伴い、保護フィルター３ａは間隔を保つ為に、数回の繰り上げを行う。【００３６】スライド軸２ａの上面は図７で示すように鋸状の掛かり２ａｂがあり、常にバネ１ｇで押し下げられているストッパー１ｄはスライド軸２ａの繰り下げにはロックが掛かり、繰り上げに対してはフリーとなる。  依ってスライド軸２ａの繰り上げはスライド軸２ａを掴んで行う、もしくは、保護球２ｂに指を掛けて叩くようにすると段階的に繰り上がる。【００３７】スライド軸の繰り下げは、ストッパー１ｄ上部の鉤部に指を掛けてバネ１ｇに逆らって持ち上げるとスライド軸は繰り下げ方向にもフリーになるので、ホルダーを傾けると保護フィルター３ａの重みで繰り下がる。【００３８】保護フィルター３ａは保持具３ｂと一体を成し、スライド軸２ａ先端部の調節ネジ２ｃに差込みに任意の角度に固定することが出来る。【００３９】紫外線不透過��保護フィルター３ａは、アーク光を減光するために全面を遮光暗部に、あるいは中心部を濃い暗部とし、周辺部を淡い暗部にすることで、視認が良好の淡い暗部を透かして溶接作業を始め、アークが発生したら手元を少し振る、もしくは顔を移動させて、フィルターの中心部の濃い暗部を透して作業箇所の明確な状態確認が出来る。
【符号の説明】
【００４０】    １ａ      取り付け金具
１ａａ    留めネジ
１ｂ      基体
１ｃ      回転軸
１ｃａ    開口
１ｄ      ストッパー
１ｄａ    バネ受け板
１ｅ      内管
１ｆ      ネジ蓋
１ｇ      バネ
１ｈ      外管
１ｈａ    開口
１ｉ      六角穴付ボルト
１ｊ      固定ナット
２ａ      スライド軸
２ａｂ    掛り
２ｂ      保護球
２ｃ      調節ネジ
３ａ      保護フィルター
３ｂ      支持具
４        ホルダー
５        溶接棒
【図１】
2008221332.tif 000003
【図２】
2008221332.tif 000004
【図３】
2008221332.tif 000005
【図４】
2008221332.tif 000006
【図５】
2008221332.tif 000007
【図６】
2008221332.tif 000008
【図７】
2008221332.tif 000009
【図８】
2008221332.tif 000010
【図９】
2008221332.tif 000011
【図１０】
2008221332.tif 000012
【図１１】
2008221332.tif 000013
【図１２】
2008221332.tif 000014
【図１３】
2008221332.tif 000015
【図１４】
2008221332.tif 000016
【図１５】
2008221332.tif 000017
【図１６】
2008221332.tif 000018
【手続補正書】
【提出日】平成19年5月28日(2007.5.28)
【手続補正１】
【補正対象書類名】明細書
【補正対象項目名】全文
【補正方法】変更
【補正の内容】
【発明の詳細な説明】
【技術分野】
【０００１】  本発明は、溶接棒を使ったアーク溶接時のアーク光及び飛散物から眼、及び顔面を保護する為のものである。
【背景技術】
【０００２】アーク溶接の段階として、視認しながら溶接棒先端を溶接箇所に接触させ、アークが発生したら、遮光板を組み込んだ遮光面を片手で顔にあてがい、遮光板を透かして減光したアーク溶接部を視認することにより、有害なアーク光から顔面を守ることができる。【０００３】又、遮光面を頭部に装着してアーク発生時に可動式の遮光部を片手で繰り下げ、アーク停止時は同じく手で繰り上げる物があって、遮光部の上げ下げの時以外は片手が自由である。【０００４】遮光部の上げ下げに片手を使う手間を省く為に自動遮光面がある。例として（商品名  ラピットグラス  ＩＳ−ＲＧ）等があり、視認の為の紫外線不透過液晶フィルターがアーク光の発生と瞬時に遮光フィルターになり、強烈なアーク閃光を減光し、眼を守ると共に、顔面を覆うマスクで紫外線等から顔面を守る事が出来る。【０００５】名称、溶接ホルダー（特開平７−６８３８１）は保護プレートをホルダーに取り付けたもので、溶接棒ホルダーと、顔面等を溶接光から保護する保護面とを片手で持てる。【０００６】名称、有害光線遮蔽性透過板付溶接ホルダー（実開昭５７−４４６８２）は有害光線遮蔽性透過板をホルダーに取り付けたもので、有害光線遮蔽性透過板はホルダーに沿って平行に前後移動、及び旋回できるようにしたものである。
【発明の開示】
【発明が解決しようとする課題】
【０００７】前記、自動遮光面は顔面を保護することでは極めて有効であるが、通常でも面を被る事は煩わしいが、気温の高い環境での作業は辛いものである。又、視界が狭いという課題もある。【０００８】前記、溶接ホルダー（特開平７−６８３８１）で作業すると、アーク溶接点と保護プレートの延長線上に顔がなければならない。  真正面で、体の前面に対して直角に溶接棒を使用することになり、作業姿勢に無理がある。【０００９】名称、有害光線遮蔽性透過板付溶接ホルダー（実開昭５７−４４６８２）の１図の状態で透過版が縦向きになっている。人の目が横に並んでいることを考えると不合理である。透過板を９０度旋回させて横向きにするとホルダーが影になり溶接棒が見えなくなるのでホルダーを傾けて透過板を透して見える位置で溶接することになるが、その場合ホルダーに対して平行に取り付けられた透過板は斜めに傾いた状態でアーク光を見ることになる。依って有害光線遮蔽面積は減少する。又、有害光線遮蔽性透過板付溶接ホルダー（実開昭５７−４４６８２）の有害光線遮蔽効果は顔面を保護するには面積が足りず、まして溶接作業中のホルダーが動くことで透過板も振れ動く、その状態で面積の小さい透過板で目を保護することは難しい。
【課題を解決する為の手段】
【００１０】  本発明は、溶接ホルダーを基点に四角形で棒状のスライド軸を溶接棒に沿って配し、先端に取り付けた円盤状の保護フィルターをアーク溶接位置にスライド、近接させたものである。
【００１１】耐熱性で、有害光遮蔽の保護フィルターは外周の淡い暗部と中心部に濃い暗部を設ける。
【発明の効果】
【００１２】保護フィルターをアーク溶接位置に近接させる為、放射状に発するアーク光はフィルター後方に本影、及び半影の大きな影を作り、その影内に顔面が収まるようにすることで有害なアークの直接光、飛散物から顔面、眼を守ることが出来る。
【００１３】アーク溶接位置に近接させる保護フィルターは少面積で効果がある為に軽量で嵩張らない。
【００１４】保護フィルターの外周の淡い暗部を透して溶接部分を確認、アーク光が発生したら溶接棒の傾きを少し変え、もしくは顔の位置をずらして、保護フィルターの内円の濃い暗部で閃光を抑えて溶接状態及び周囲の確認でき、点溶接から一気に最後まで中断せずに溶接することができる。
【００１５】又、スライド軸の繰り上げ、繰り下げが簡単にでき、溶接棒のアークによる消耗に応じて保護フィルターを繰り上げて間隔を保つことが出来る。
【００１６】ホルダーで溶接棒を掴む角度は幾つかあり、溶接棒に沿う形のスライド軸を回転させて溶接棒に平行に合わせることができ、（図２の前方向は構造上スライド出来ない）右利き左利きにも対応できる。
【発明を実施するための最良の形態】
【００１７】本発明の実施の形態を図に基づいて説明する。【００１８】図１は溶接ホルダーに、取り付け金具１ａによるスライド式保護フィルターの取り付け状態を示したものである。【００１９】図２は、スライド式保護フィルター一式をホルダーに取り付けた平面図である。【００２０】図３は、図２を正面から見た図である。【００２１】図４は、図３の主要断面図で、  取り付け金具１ａを溶接ホルダー４の前方から形に合わせてスライド装着する。【００２２】図５は、図２の左側面図でスライド軸２ａを外した状態である。【００２３】図６は、図５の主要断面図で、取り付け金具１ａを溶接ホルダーの前方から形に合わせてスライド装着後、六角穴付ボルト１ｉをレンチで締めて基体１ｂを溶接ホルダー４に固定する。【００２４】図７はスライド軸２ａとストッパー１ｄを示すものである。【００２５】図８は、図７のＡ−Ａ′断面図である。【００２６】図９は、取り付け金具１ａを基体１ｂに下方から留めネジ１ａａでの取り付けを示した図である。【００２７】図１０は、基体１ｂの断面図で同心円の二つの径の異なる穴が空いている。【００２８】図１１は、ストッパー１ｄで、Ｌ字に曲げた丸棒に円盤状のバネ受け板１ｄａを取り付けたものである。【００２９】図１２は外管１ｈで円筒形の両端にスライド軸２ａが楽に通る穴１ｈａが空いている。【００３０】図１３は、回転軸１ｃの断面図で、円盤状の低板部と同心円の二つの径の異なる穴が空いている筒部からなり、両端にスライド軸が楽に通る穴１ｃａが空いていて、上部に外ネジが切ってある。【００３１】図１４は、ネジ蓋１ｆである。【００３２】図１５は、バネ１ｇで、ストッパー１ｄを押し下げるためのものである。【００３３】図１６は内管１ｅで、ストッパー１ｄの遊動幅を制限するものである。【００３４】図３及び図４で使用方法を説明する。  ホルダーで掴んだ溶接棒５の方向にスライド軸２ａを合わせ、回転軸１ｃ上部のネジにネジ蓋１ｆを締めこんで、外管を圧迫することで方向を固定する。  その場合外管１ｈと、スライド軸２ａの間に隙間が在る為にスライド軸の動きを妨げることは無い。【００３５】スライド軸２ａの先端の耐熱保護フィルター３ａを溶接棒先端にスライド近接させ、耐熱保護フィルター３ａを透して溶接状態を確認しながら作業する。  溶接棒の消耗に伴い、保護フィルター３ａは間隔を保つ為に、数回の繰り上げを行う。【００３６】スライド軸２ａの上面は図７で示すように鋸状の掛かり２ａｂがあり、常にバネ１ｇで押し下げられているストッパー１ｄはスライド軸２ａの繰り下げにはロックが掛かり、繰り上げに対してはフリーとなる。  依ってスライド軸２ａの繰り上げはスライド軸２ａを掴んで行う、もしくは、保護球２ｂに指を掛けて叩くようにすると段階的に繰り上がる。【００３７】スライド軸の繰り下げは、ストッパー１ｄ上部の鉤部に指を掛けてバネ１ｇに逆らって持ち上げるとスライド軸は繰り下げ方向にもフリーになるので、ホルダーを傾けると保護フィルター３ａ等の重みで繰り下がる。【００３８】保護フィルター３ａは保持具３ｂと一体を成し、スライド軸２ａ先端部の調節ネジ２ｃ部に差込み、ネジを締めることで、任意の角度に固定することが出来る。��００３９】紫外線不透過の保護フィルター３ａは、アーク光を減光するために全面を遮光暗部に、あるいは中心部を濃い暗部、周辺部を淡い暗部とし、視認が良好の淡い暗部を透かして溶接作業を始め、アークが発生したら手元を少し振る、もしくは顔を移動させると、フィルターの中心部の濃い暗部を透して作業箇所の明確な状態確認が出来る。
【図面の簡単な説明】
【００４０】
【図１】  既存ホルダーへの取り付け斜視図
【図２】  取り付け平面図
【図３】  取り付け正面図
【図４】  正面図の主要断面図
【図５】  スライド軸を外した状態の左側面図
【図６】  左側面図の主要断面図
【図７】  スライド軸とストッパーの関係図
【図８】  図７のＡ−Ａ′断面図
【図９】  取り付け金具と基体への取り付け図
【図１０】  図４の基体部断面図
【図１１】  ストッパー図
【図１２】  外管図
【図１３】  回転軸断面図
【図１４】  ネジ蓋図
【図１５】  バネ図
【図１６】  内管図
【符号の説明】
【００４１】  １ａ      取り付け金具
１ａａ    留めネジ
１ｂ      基体
１ｃ      回転軸
１ｃａ    開口
１ｄ      ストッパー
１ｄａ    バネ受け板
１ｅ      内管
１ｆ      ネジ蓋
１ｇ      バネ
１ｈ      外管
１ｈａ    開口
１ｉ      六角穴付ボルト
１ｊ      固定ナット
２ａ      スライド軸
２ａｂ    掛り
２ｂ      保護球
２ｃ      調節ネジ
３ａ      保護フィルター
３ｂ      支持具
４        ホルダー
５        溶接棒